(57)【要約】【課題】  送受信された電子メールであって、ホームページ上で表示される電子メールを、ユーザ側で、自由に、日付と対応付けることができるスケジュール管理サーバ等を提供することを目的とする。【解決手段】  メール領域に表示されている電子メールと、カレンダ領域に表示されている年月日とを関連付ける関連付情報を入力する関連付情報入力手段と、入力された関連付情報に基づいて、電子メールのデータを、カレンダ領域の年月日に関連付けるデータ関連付手段と、電子メールが関連付けられている年月日が、カレンダ領域で指定されると、メール関連付手段によって関連付けられている電子メールを表示する表示制御手段とを有する。【選択図】  図１
2005322178.tif 000002
【特許請求の範囲】
【請求項１】
送受信された電子メールを表示するメール領域と、年月日を表示するカレンダ領域とを具備するホームページを、インターネット上で閲覧可能に提供するスケジュール管理サーバにおいて、
上記メール領域に表示されている電子メールと、上記カレンダ領域に表示されている年月日とを関連付ける関連付情報を入力する関連付情報入力手段と；
上記入力された関連付情報に基づいて、電子メールのデータを、上記カレンダ領域の年月日に関連付けるデータ関連付手段と；
電子メールが関連付けられている年月日が、上記カレンダ領域で指定されると、上記メール関連付手段によって関連付けられている電子メールを表示する表示制御手段と；
を有することを特徴とするスケジュール管理サーバ。
【請求項２】
請求項１において、
端末識別情報を認証する端末識別情報認証部を有し、上記ホームページは、上記端末識別情報認証部によって認証された端末識別情報を入力したユーザ端末にのみ、閲覧可能であることを特徴とするスケジュール管理サーバ。
【請求項３】
請求項１または請求項２において、
上記データ関連付手段は、上記カレンダ領域の年月日に関連付けられている電子メールのデータと、上記メール領域との関連付けを失う手段であることを特徴とするスケジュール管理サーバ。
【請求項４】
請求項１〜請求項３のいずれか１項において、
上記カレンダ領域に表示されている年月日のうちで、電子メールが関連付けられている年月日を強調表示するように、上記電子メールが関連付けられている年月日の表示情報を変換する表示情報変換部を有することを特徴とするスケジュール管理サーバ。
【請求項５】
送受信された電子メールを表示するメール領域と、年月日を表示するカレンダ領域とを具備するホームページを、インターネット上で閲覧可能に提供するスケジュール管理サーバにおいて、
上記メール領域に表示されている電子メールを指定する指示情報を入力するメール指定情報入力手段と；
上記メール指定情報入力手段によって入力された指示情報が指定する電子メール中のメッセージが記載されているメッセージ部から、日付を表す日付情報を検索する日付情報検索手段と；
上記電子メールのデータを、上記日付情報検索手段が検索した日付情報の日付に対応する上記カレンダ領域の年月日に関連付けるデータ関連付手段と；
上記カレンダ領域で、電子メールが関連付けられた年月日が指定されると、上記メール関連付手段によって関連付けられた電子メールを表示する表示制御手段と；
を有することを特徴とするスケジュール管理サーバ。
【請求項６】
送受信された電子メールを表示するメール領域と年月日を表示するカレンダ領域とを具備し、インターネット上でウェブサーバによって、ユーザ端末に閲覧可能に提供されるホームページを使用したスケジュール管理システムにおいて、
上記ユーザ端末は、上記メール領域から選択した電子メールを上記カレンダ領域の年月日に関連付けるメール関連付手段と；
上記ウェブサーバは、上記ユーザ端末の上記メール関連付手段によって電子メールがカレンダ領域の年月日に関連付けられると、上記電子メールのデータを上記カレンダ領域の上記年月日に関連付けるデータ関連付手段と；
上記カレンダ領域で電子メールが関連付けられた年月日が上記ユーザ端末によって指定されると、上記メール関連付手段によって関連付けられた電子メールが表示される制御手段と；
を有することを特徴とするスケジュール管理システム。
【請求項７】
請求項６において、
上記ウェブサーバは、端末識別情報を認証する端末識別情報認証部を有し、
上記ホームページは、上記端末識別情報認証部によって認証された端末識別情報を入力したユーザ端末にのみ閲覧可能であるホームページであることを特徴とするスケジュール管理システム。
【請求項８】
請求項６または請求項７において、
上記データ関連付手段は、上記カレンダ領域の年月日に関連付けられた電子メールのデータは、上記メール領域との関連付けを失う手段であることを特徴とするスケジュール管理システム。
【請求項９】
請求項６〜請求項８のいずれか１項において、
上記ウェブサーバは、電子メールが関連付けられた上記カレンダ領域の年月日が強調表示されるように、上記年月日の表示情報を変換する表示情報変換部を有するサーバであることを特徴とするスケジュール管理システム。
【請求項１０】
送受信された電子メールを表示するメール領域と年月日を表示するカレンダ領域とを有するインターネット上でウェブサーバによってユーザ端末に閲覧可能に提供されるホームページを使用したスケジュール管理システムにおいて、
上記ユーザ端末は、上記メール領域から電子メールを指定するメール指定手段と；
上記ウェブサーバは、上記ユーザ端末の上記メール指定手段によって指定された電子メールのメッセージを記載したメッセージ部から、日付を表す日付情報を検索する日付情報検索部と；
上記電子メールのデータを上記日付情報検索部によって検索された日付情報の日付に対応する上記カレンダ領域の年月日に関連付けるデータ関連付手段と；
上記カレンダ領域で電子メールが関連付けられた年月日が上記ユーザ端末によって指定されると、上記メール関連付手段によって関連付けられた電子メールが表示される制御手段と；
を有することを特徴とするスケジュール管理システム。
【請求項１１】
送受信された電子メールを表示するメール領域と、年月日を表示するカレンダ領域とを具備するユーザ端末に閲覧可能なインターネット上のホームページを使用したスケジュール管理方法において、
上記メール領域から電子メールを選択する電子メール選択ステップと；
上記カレンダ領域から年月日を指定する年月日指定ステップと；
上記電子メール選択ステップで選択された電子メールを、上記年月日指定ステップで指定された年月日に関連付けるメール関連付ステップと；
上記カレンダ領域で電子メールが関連付けられた年月日が指定されると、上記メール関連付ステップで関連付けられた電子メールが表示される制御ステップと；
を有することを特徴とするスケジュール管理方法。
【請求項１２】
請求項１１において、
上記ホームページには、端末識別情報が対応付けられ、上記ホームページは、上記端末識別情報を入力したユーザ端末にのみ閲覧可能であることを特徴とするスケジュール管理方法。
【請求項１３】
請求項１１または請求項１２において、
上記メール関連付ステップは、上記カレンダ領域の年月日に関連付けられた電子メールは、メール領域から削除されるステップであることを特徴とするスケジュール管理方法。
【請求項１４】
請求項１１〜請求項１３のいずれか１項において、
上記メール関連付ステップは、電子メールが関連付けられた上記カレンダ領域の年月日が強調表示されるステップであることを特徴とするスケジュール管理方法。
【請求項１５】
送受信された電子メールを表示するメール領域と年月日を表示するカレンダ領域とを有するユーザ端末Ｔ１に閲覧可能なインターネット上のホームページを使用したスケジュール管理方法において、
上記メール領域から電子メールを選択する電子メール選択ステップと；
上記電子メール選択ステップで選択された電子メールのメッセージを記載したメッセージ部から、日付を表す日付情報を検索する日付情報検索ステップと；
上記電子メールを上記日付情報検索ステップによって検索された日付情報の日付に対応する上記カレンダ領域の年月日に関連付けるメール関連付ステップと；
上記カレンダ領域で上記電子メールが関連付けられた年月日が指定されると、上記メール関連付ステップで関連付けられた上記電子メールが表示される制御ステップと；
を有することを特徴とするスケジュール管理方法。
【請求項１６】
送受信された電子メールを表示するメール領域と、年月日を表示するカレンダ領域とを具備するユーザ端末に閲覧可能なインターネット上のホームページを使用したスケジュール管理する場合、
上記メール領域から電子メールを選択する電子メール選択手順と；
上記カレンダ領域から年月日を指定する年月日指定手順と；
上記電子メール選択手順で選択された電子メールを、上記年月日指定手順で指定された年月日に関連付けるメール関連付手順と；
上記カレンダ領域で電子メールが関連付けられた年月日が指定されると、上記メール関連付手順で関連付けられた電子メールが表示される制御手順と；
をコンピュータに実行させるプログラム。
【請求項１７】
送受信された電子メールを表示するメール領域と年月日を表示するカレンダ領域とを有するユーザ端末Ｔ１に閲覧可能なインターネット上のホームページを使用したスケジュール管理する場合、
上記メール領域から電子メールを選択する電子メール選択手順と；
上記電子メール選択手順で選択された電子メールのメッセージを記載したメッセージ部から、日付を表す日付情報を検索する日付情報検索手順と；
上記電子メールを上記日付情報検索手順によって検索された日付情報の日付に対応する上記カレンダ領域の年月日に関連付けるメール関連付手順と；
上記カレンダ領域で上記電子メールが関連付けられた年月日が指定されると、上記メール関連付手順で関連付けられた上記電子メールが表示される制御手順と；
をコンピュータに実行させるプログラム。
【請求項１８】
送受信された電子メールを表示するメール領域と、年月日を表示するカレンダ領域とを具備するユーザ端末に閲覧可能なインターネット上のホームページを使用したスケジュール管理する場合、
上記メール領域から電子メールを選択する電子メール選択手順と；
上記カレンダ領域から年月日を指定する年月日指定手順と；
上記電子メール選択手順で選択された電子メールを、上記年月日指定手順で指定された年月日に関連付けるメール関連付手順と；
上記カレンダ領域で電子メールが関連付けられた年月日が指定されると、上記メール関連付手順で関連付けられた電子メールが表示される制御手順と；
をコンピュータに実行させるプログラムを記録したコンピュータ読取可能な記録媒体。
【請求項１９】
送受信された電子メールを表示するメール領域と年月日を表示するカレンダ領域とを有するユーザ端末Ｔ１に閲覧可能なインターネット上のホームページを使用したスケジュール管理する場合、
上記メール領域から電子メールを選択する電子メール選択手順と；
上記電子メール選択手順で選択された電子メールのメッセージを記載したメッセージ部から、日付を表す日付情報を検索する日付情報検索手順と；
上記電子メールを上記日付情報検索手順によって検索された日付情報の日付に対応する上記カレンダ領域の年月日に関連付けるメール関連付手順と；
上記カレンダ領域で上記電子メールが関連付けられた年月日が指定されると、上記メール関連付手順で関連付けられた上記電子メールが表示される制御手順と；
をコンピュータに実行させるプログラムを記録したコンピュータ読取可能な記録媒体。
【発明の詳細な説明】
【技術分野】
【０００１】
本発明は、スケジュール管理サーバ、スケジュール管理システム、スケジュール管理方法、プログラムおよび記録媒体に係り、より詳細には、インターネット上のホームページを使用したスケジュール管理サーバ、スケジュール管理システム、スケジュール管理方法、プログラムおよび記録媒体に関する。
【背景技術】
【０００２】
従来、コンピュータ等の端末の表示装置に、年月日をカレンダ形式で表示し、表示されたカレンダの日付に対応付けて、その日のスケジュールを記憶させ、スケジュールを管理するスケジュール管理装置が知られている（たとえば、特許文献１参照）。
【０００３】
また、インターネット上のホームページを利用して、スケジュール管理するサービスとして、ホームページに掲載されたカレンダの日付に対応付けて、簡単なメモ書きができるものが知られている。
【特許文献１】特開平７−０８４５２０号公報（図３）
【発明の開示】
【発明が解決しようとする課題】
【０００４】
しかし、インターネットを介した電子メールの送受信が一般的になるにつれ、スケジュールだけでなく、送受信した電子メールも、カレンダの日付に対応付けて保存したいというニーズが高まっているが、従来のスケジュール管理ソフトやホームページのサービスでは、電子メールを保存することができないという問題がある。
【０００５】
また、従来のメールソフトは、電子メールを送受信された日付毎に、自動的に保存することはできるが、電子メールを、内容に関連する日付と対応付けて保存することはできないという問題がある。
【０００６】
たとえば、２００４年３月１５日に開催される打ち合わせの詳細を記した電子メールが、２００４年３月１０日に受信されたとすると、２００４年３月１０日付のメールとして保存される。すなわち、従来のメールソフトで送受信された電子メールを、どの日付に対応付けて保存するかは、メールソフトの設定に委ねられ、ユーザ側で、自由に電子メールを日付と対応付けることができないという問題がある。
【０００７】
本発明は、送受信された電子メールであって、ホームページ上で表示される電子メールを、ユーザ側で、自由に、日付と対応付けることができるスケジュール管理サーバ、スケジュール管理システム、スケジュール管理方法、プログラムおよび記録媒体を提供することを目的とする。
【課題を解決するための手段】
【０００８】
本発明は、送受信された電子メールを表示するメール領域と、年月日を表示するカレンダ領域とを具備するホームページを、インターネット上で閲覧可能に提供するスケジュール管理サーバにおいて、上記メール領域に表示されている電子メールと、上記カレンダ領域に表示されている年月日とを関連付ける関連付情報を入力する関連付情報入力手段と、上記入力された関連付情報に基づいて、電子メールのデータを、上記カレンダ領域の年月日に関連付けるデータ関連付手段と、電子メールが関連付けられている年月日が、上記カレンダ領域で指定されると、上記メール関連付手段によって関連付けられている電子メールを表示する表示制御手段とを有することを特徴とするスケジュール管理サーバである。
【発明の効果】
【０００９】
本発明によれば、ホームページ上で表示される送受信された電子メールを、ユーザ側で自由に、日付と関連付けることができるので、利便性の高いスケジュール管理を行うことができるという効果を奏する。
【発明を実施するための最良の形態】
【００１０】
発明を実施するための最良の形態は、以下の実施例である。
【実施例１】
【００１１】
図１は、本発明の実施例１であるスケジュール管理システムＳＭ１を示すブロック図である。
【００１２】
スケジュール管理システムＳＭ１は、ウェブサーバＷＳ１と、ユーザ端末Ｔ１とを有する。
【００１３】
ウェブサーバＷＳ１は、表示情報保存手段１１と、メール送受信部１２と、スケジュール作成部１３と、入力部１４と、端末識別情報認証部１５と、表示情報制御部１６と、出力部１７とを有する。
【００１４】
表示情報保存手段１１は、メール情報保存部１１１と、スケジュール情報保存部１１２とを有する。
【００１５】
メール情報保存部１１１は、電子メールの情報、スケジュール情報等のホームページに閲覧可能に表示されるコンテンツのような様々の情報を保存する。
【００１６】
メール情報保存部１１１は、メール送受信部１２が送受信するメールのデータを保存する。スケジュール情報保存部１１２は、スケジュール作成部１３が作成したスケジュールのデータを、年月日と関連付けて保存する。
【００１７】
メール送受信部１２は、コンピュータネットワークを介して、メールを送受信する。
【００１８】
スケジュール作成部１３は、入力部１４で入力された指示情報に基づいて、カレンダ領域の日付に対応するスケジュールを作成する。
【００１９】
入力部１４は、ユーザ端末Ｔ１からの端末識別情報と、指示情報とを入力する。
【００２０】
端末識別情報認証部１５は、ユーザ端末Ｔ１の端末識別情報を認証する。
【００２１】
表示情報制御部１６は、端末識別情報認証部１５が、端末識別情報に基づいて認証したユーザ端末Ｔ１から受信された指示情報に基づいて、ホームページに閲覧可能に表示される情報を制御する。
【００２２】
表示情報制御部１６は、電子メールと、カレンダ領域に表示される年月日とを関連付ける関連付情報に基づいて、電子メールのデータを、スケジュール情報の年月日に関連付ける。また、表示情報制御部１６は、出力部１７ヘ、ホームページの基となる表示情報を送り出すが、端末識別情報認証部１５が端末識別情報に基づいて認証したユーザ端末Ｔ１にのみ、ホームページを閲覧可能に提供する。
【００２３】
出力部１７は、表示情報制御部１６が制御した表示情報に基づいて、インターネット上に、ホームページを閲覧可能に提供する。
【００２４】
ユーザ端末Ｔ１は、パーソナルコンピュータであり、表示部２１と、メール関連付手段２２とを有する。
【００２５】
ウェブサーバＷＳ１、ユーザ端末Ｔ１は、それぞれ、図示しない受信部を有し、インターネット等のコンピュータネットワークを介して、情報データを送受信する。
【００２６】
表示部２１は、ウェブサーバＷＳ１が閲覧可能であるホームページを表示するディスプレイ等によって、構成されている。
【００２７】
メール関連付手段２２は、表示されたホームページの「メーラ」と呼ばれるメール領域から電子メールを選択し、選択した電子メールを「スケジューラ」と呼ばれるカレンダ領域に表示される年月日に関連付ける。
【００２８】
メール関連付手段２２は、マウス、キーボード等のコンピュータの入力装置（図示せず）によって構成されている。関連付情報は、たとえば、ユーザが、ユーザ端末Ｔ１の表示部２１に表示されているホームページを見ながら、マウスを用いて、メール領域の電子メールを、カレンダ領域に表示されている日付にドラッグ＆ドロップすることによって送信するようにしてもよい。
【００２９】
メール関連付手段２２によって関連付けられた電子メールと、カレンダ領域に表示される年月日の関連付情報とは、ユーザ端末Ｔ１の送受信部（図示せず）からコンピュータネットワークを介して送信され、ウェブサーバＷＳ１の送受信部で受信される。
【００３０】
なお、ユーザ端末Ｔ１は、上記関連付情報の他に、ユーザが入力装置を操作して入力する端末識別情報、日付指定、スケジュール作成等を、コンピュータネットワークを介して、ウェブサーバＷＳ１に指示情報を送信する。
【００３１】
次に、スケジュール管理システムＳＭ１において、表示情報制御部１６が実行するメール情報とスケジュール情報との関連付処理について説明する。
【００３２】
図２は、スケジュール管理システムＳＭ１において、メール情報とスケジュール情報とを関連付ける処理の概要を示す図である。
【００３３】
メール情報保存部１１１に保存されているメール情報は、メール送信者、受信日、識別番号等を表すメールＩＤと、メールの本文を表すメール本文のデータとによって構成され、スケジュール情報保存部１１２に保存されているスケジュール情報は、日付と、日付に関連付けられたスケジュールのデータとによって構成されている。
【００３４】
表示情報制御部１６は、電子メールとカレンダ領域の年月日とを関連付ける関連付情報に基づいて、図２に示すように、メール情報保存部１１１に保存されている電子メールのデータを、スケジュール情報保存部１１２に保存されたスケジュール情報の年月日に関連付ける。
【００３５】
なお、実施例１では、スケジュール情報の年月日に関連付けられた電子メールのデータは、メール領域との関連付けを失い、メール情報保存部１１１から削除され、スケジュール情報保存部１１２に保存される。すなわち、メール領域から選択され、カレンダ領域の年月日に関連付けられた電子メールは、メール領域から削除され、カレンダ領域に移動する。
【００３６】
ユーザ端末Ｔ１を操作するユーザが、マウス等を使用し、カレンダ領域の年月日を指定する指示情報を、ウェブサーバＷＳ１に送信すると、ウェブサーバＷＳ１の表示情報制御部１６は、表示情報保存手段１１のスケジュール情報保存部１１２を制御し、指定されたカレンダ領域の年月日に関連付けられたスケジュールを表示し、また、指定されたカレンダ領域の年月日に電子メールも関連付けられている場合、関連付けられた電子メールも表示する。
【００３７】
次に、スケジュール管理システムＳＭ１の動作について、説明する。
【００３８】
図３は、スケジュール管理システムＳＭ１において、メール情報とスケジュール情報とを関連付ける動作を示すフローチャートである。
【００３９】
ユーザ端末Ｔ１が、ウェブサーバＷＳ１に指示情報を送信すると、ウェブサーバＷＳ１は、指示情報から端末識別情報を受信し（Ｓ１１）、端末識別情報を認証するか否かを判断する（Ｓ１２）。端末識別情報が認証されない場合、ユーザ端末Ｔ１は、ウェブサーバＷＳ１が提供するホームページを閲覧することはできない。端末識別情報が認証された場合、ユーザ端末Ｔ１を操作するユーザは、ウェブサーバＷＳ１が提供するホームページを、表示部２１で閲覧することができる。
【００４０】
ホームページに表示されるメール領域から、電子メールを選択し（Ｓ１３）、カレンダ領域の年月日を指定し（Ｓ１４）、電子メールをカレンダ領域の年月日に関連付けると（Ｓ１５）、電子メールは、メール領域から削除される。
【００４１】
ユーザが、電子メールやマウス等を使用し、カレンダ領域の年月日を指定すると、指定された年月日に電子メールが関連付けられているか否かを、ウェブサーバＷＳ１の表示情報制御部１６が判断し（Ｓ１６）、関連付けられていると判断されると、関連付けられた電子メールが表示され（Ｓ１７）、関連付けられていないと判断されると、関連付けられたスケジュールのみが表示される（Ｓ１８）。
【００４２】
上記のようにして、メール領域で選択された電子メールが、カレンダ領域の年月日に関連付けられ、登録される。
【００４３】
図４は、スケジュール管理システムＳＭ１において、ユーザ端末Ｔ１の表示部２１に表を示す図である。
【００４４】
図４に示すように、インターネット上でウェブサーバＷＳ１によって、ユーザ端末Ｔ１に閲覧可能に提供されるホームページは、「メーラ」と呼ばれ、送受信された電子メールを表示するメール領域と、「スケジューラ」と呼ばれ、年月日を表示するカレンダ領域とを有している。
【００４５】
スケジュール管理システムＳＭ１によれば、上記のように、送受信された電子メールを表示するメール領域と、年月日を表示するカレンダ領域とを有するホームページを使用し、利便性の高いスケジュール管理を行うことができる。
【００４６】
つまり、図４は、端末識別情報が認証された端末にのみ閲覧可能に提供されるホームページであるマイページを示す例である。
【００４７】
トピック毎に、情報が関連付けられている複数のカテゴリを表示するインデックス画面と、選択されたカテゴリに属するコンテンツを表示するコンテンツ画面とを有し、カテゴリの中には、「メーラ」と呼ばれる複数の電子メールが関連付けられたメール領域と、「スケジューラ」と呼ばれる年月日毎にスケジュールが関連付けられたカレンダ領域とが含まれている。
【００４８】
図５は、スケジュール管理システムＳＭ１のユーザ端末Ｔ１の表示部２１に表示されているホームページの例を示す図であり、メーラ（メール領域）の中から電子メールを選択し、スケジューラ（カレンダ領域）に表示されている年月日のうちで、３月９日に関連付けた例を示す図である。
【００４９】
図６は、スケジュール管理システムＳＭ１のユーザ端末Ｔ１の表示部２１に表示されているホームページの例を示す図であり、スケジューラ（カレンダ領域）に表示されている年月日のうちで、電子メールが関連付けられた３月９日を選択した例を示す図である。
【００５０】
スケジューラ（カレンダ領域）に表示されている年月日のうちで、電子メールが関連付けられた３月９日を選択すると、３月９日に関連付けられている電子メール（図５で説明した３月９日に関連つけた電子メール）が表示されることが分かる。
【００５１】
上記のように、スケジュール管理システムＳＭ１によれば、ホームページ上で表示されている送受信された電子メールを、ユーザ側で、自由な日付に対応付けることができる。
【００５２】
なお、表示情報制御部１６は、カレンダ領域の中で電子メールが関連付けられている年月日を強調表示するように、電子メールが関連付けられた年月日については、スケジュール情報保存部１１２に保存されたスケジュール情報の年月日の表示情報を、たとえば、太字、色付き、影付き等、強調文字に変換するようにしてもよい。
【００５３】
実施例１では、端末識別情報をユーザ端末Ｔ１から入力するが、端末識別情報は、ユーザ端末に固有の端末ＩＤ等でもよく、この場合、ユーザ端末からの入力装置を使ったパスワード等の入力がなくても、サーバＳＷ１側でユーザ端末Ｔ１を認証することができる。
【００５４】
実施例１では、ホームページは、端末識別情報認証部１５で認証された端末にのみ閲覧可能な、いわゆるマイページ等の個人用ホームページを想定している。これに限らず、端末識別番号による認証が不要である通常のホームページにも、上記実施例１を適用することができる。
【実施例２】
【００５５】
図７は、本発明の実施例２であるスケジュール管理システムＳＭ２を示す図である。
【００５６】
スケジュール管理システムＳＭ２は、基本的には、スケジュール管理システムＳＭ１と同じであり、スケジュール管理システムＳＭ１において、ウェブサーバＷＳ１の代わりに、ウェブサーバＷＳ２が設けられている点のみが、スケジュール管理システムＳＭ１とは異なる。
【００５７】
ウェブサーバＷＳ２は、基本的には、ウェブサーバＷＳ１と同じであり、ウェブサーバＷＳ１に、日付情報検索部１８が付加されている点のみが、ウェブサーバＷＳ１とは異なる。
【００５８】
日付情報検索部１８は、メール情報保存部１１１に保存されている電子メールのメッセージに記載されている本文から、日付を表す日付情報を検索する。
【００５９】
スケジュール管理システムＳＭ１と同様の構成については、同じ符号を付し、その詳細な説明を省略する。
【００６０】
また、表示情報制御部１６は、日付情報検索部１８が検索した日付情報に基づいて、メール情報保存部１１１に保存されている電子メールのデータを、スケジュール情報保存部１１２に保存されているスケジュール情報の年月日に関連付けている。
【００６１】
次に、スケジュール管理システムＳＭ２において、表示情報制御部１６が、メール情報とスケジュール情報とを関連付けする処理について説明する。
【００６２】
図８は、スケジュール管理システムＳＭ２において、メール情報とスケジュール情報とを関連付ける処理の概要を示す図である。
【００６３】
メール情報保存部１１１に保存されているメール情報は、メール送信者、受信日、識別番号等を表すメールＩＤと、メールの本文を表すメール本文のデータとによって構成され、スケジュール情報保存部１１２に保存されているスケジュール情報は、日付と、日付に関連付けられたスケジュールとのデータによって構成されている。
【００６４】
図８に示すように、表示情報制御部１６は、日付情報検索部１８が検索した電子メールのメッセージが記載されている本文の日付情報に基づいて、メール情報保存部１１１に保存されている電子メールのデータを、スケジュール情報保存部１１２に保存されているスケジュール情報の年月日に関連付ける。
【００６５】
なお、実施例２では、スケジュール情報の年月日に関連付けられた電子メールは、メール領域との関連付を失い、メール情報保存部１１１から削除され、スケジュール情報保存部１１２に保存される。すなわち、メール領域から選択され、カレンダ領域の年月日に関連付けられた電子メールは、メール領域から削除され、カレンダ領域に移動する。つまり、スケジュール情報の年月日に関連付けられた電子メールは、スケジュール情報保存部１１２に保存されれば足りるので、メール情報保存部１１１から削除される。
【００６６】
ユーザ端末を操作するユーザが、マウス等を使用し、カレンダ領域の年月日を指定する指示情報を、ウェブサーバＷＳ２に送信すると、ウェブサーバＷＳ２の表示情報制御部１６は、表示情報保存手段１１のスケジュール情報保存部１１２を制御し、指定されたカレンダ領域の年月日に関連付けられたスケジュールを表示し、指定されたカレンダ領域の年月日に、電子メールも関連付けられていれば、この関連付けられている電子メールも表示される。
【００６７】
次に、スケジュール管理システムＳＭ２において、メール情報とスケジュール情報とを関連付ける動作について、説明する。
【００６８】
図９は、スケジュール管理システムＳＭ２において、メール情報とスケジュール情報とを関連付ける動作を示すフローチャートである。
【００６９】
ユーザ端末Ｔ１が、ウェブサーバＷＳ２に指示情報を送信すると、ウェブサーバＷＳ２は、受信した指示情報に基づいて、端末識別情報を受信し（Ｓ２１）、端末識別情報を認証するか否かを判断する（Ｓ２２）。端末識別情報を認証できないと、ユーザ端末Ｔ１は、ウェブサーバＷＳ２が提供するホームページを閲覧することができない。端末識別情報が、認証されると、ユーザ端末Ｔ１を操作するユーザは、ウェブサーバＷＳ２が提供するホームページを、表示部２１で閲覧することができる。
【００７０】
ウェブサーバＷＳ２側では、日付情報検索部１８が、メール情報保存部１１１に保存されている電子メールのメッセージが記載されている本文から、日付情報を検索し（Ｓ２３）、この検索された日付情報に基づいて、メール情報保存部１１１に保存されている電子メールのデータが、スケジュール情報保存部１１２に保存されているスケジュール情報の年月日に関連付けられる（Ｓ２４）。
【００７１】
カレンダ領域の年月日に関連付けられている電子メールは、メール領域から削除される。ユーザが、電子メールやマウス等を使用し、カレンダ領域の年月日を指定すると、指定された年月日に、電子メールが関連付けられているか否かを、ウェブサーバＷＳ２の表示情報制御部１６が判断し（Ｓ２５）、電子メールが関連付けられていれば、関連付けられている電子メールを表示し（Ｓ２６）、関連付けられていなければ、関連付けられたスケジュールのみが表示される（Ｓ２７）。
【００７２】
スケジュール管理システムＳＭ２によれば、上記のように、送受信された電子メールであって、ホームページ上に表示されている電子メールを、電子メールのメッセージを記載した本文の日付情報に基づいて、カレンダ領域の年月日に関連付けることができる。
【００７３】
ユーザ側は、上記のように、日付情報が本文に記載されている電子メールが、カレンダ領域の年月日に関連付けられた後に、改めて、カレンダ領域の年月日に関連付けることができる。スケジュール管理システムＳＭ２によれば、ホームページ上で表示される電子メールであって、送受信された電子メールを、ユーザ側で、自由に日付と対応付ける作業を簡易化することができる。
【００７４】
実施例２では、端末識別情報をユーザ端末Ｔ１から入力するが、端末識別情報は、ユーザ端末Ｔ１に固有の端末ＩＤ等でもよく、この場合、ユーザ端末Ｔ１からの入力装置を使ったパスワード等の入力がなくても、サーバＳＷ２側でユーザ端末Ｔ１を認証することができる。
【００７５】
ところで、実施例２では、ホームページは、端末識別情報認証部１５で認証された端末にのみ閲覧可能な、いわゆるマイページ等の個人用ホームページを想定している。これに限らず、端末識別番号による認証が不要である通常のホームページにも、実施例２を適用することができる。
【００７６】
上記実施例によれば、ホームページ上で表示される電子メールであって、送受信された電子メールを、ユーザ側で自由に日付と関連付けることができるので、たとえば、打ち合わせ、イベントの開催等の情報が記載されたメールを、カレンダの当該日に直接関連付けることができ、利便性の高いスケジュール管理を行うことができる。
【００７７】
上記プログラムを、ウェブサーバおよびユーザ端末として利用されるコンピュータにインストールするようにしてもよく、また、ネットワークを介して、流通するようにしてもよい。
【００７８】
ウェブサーバＷＳ２とユーザ端末Ｔ１として利用されるコンピュータに、上記プログラムをインストールするようにしてもよい、また、ネットワークを介して、流通させるようにしてもよい。
【００７９】
つまり、上記実施例をプログラムの発明とした把握することができる。すなわち、上記実施例は、送受信された電子メールを表示するメール領域と、年月日を表示するカレンダ領域とを具備するユーザ端末に閲覧可能なインターネット上のホームページを使用したスケジュール管理する場合、上記メール領域から電子メールを選択する電子メール選択手順と、上記カレンダ領域から年月日を指定する年月日指定手順と、上記電子メール選択手順で選択された電子メールを、上記年月日指定手順で指定された年月日に関連付けるメール関連付手順と、上記カレンダ領域で電子メールが関連付けられた年月日が指定されると、上記メール関連付手順で関連付けられた電子メールが表示される制御手順とをコンピュータに実行させるプログラムの例である。
【００８０】
さらに、上記実施例は、送受信された電子メールを表示するメール領域と年月日を表示するカレンダ領域とを有するユーザ端末Ｔ１に閲覧可能なインターネット上のホームページを使用したスケジュール管理する場合、上記メール領域から電子メールを選択する電子メール選択手順と、上記電子メール選択手順で選択された電子メールのメッセージを記載したメッセージ部から、日付を表す日付情報を検索する日付情報検索手順と、上記電子メールを上記日付情報検索手順によって検索された日付情報の日付に対応する上記カレンダ領域の年月日に関連付けるメール関連付手順と、上記カレンダ領域で上記電子メールが関連付けられた年月日が指定されると、上記メール関連付手順で関連付けられた上記電子メールが表示される制御手順とをコンピュータに実行させるプログラムの例である。
【００８１】
また、上記プログラムを、ウェブサーバおよびユーザ端末として利用されるコンピュータに接続されるハードディスク、フレキシブルディスク、ＣＤ−ＲＯＭ等、可搬記憶媒体に格納し、実施例１を実施するときに、当該コンピュータにインストールするようにしてもよい。
【図面の簡単な説明】
【００８２】
【図１】本発明の実施例１であるスケジュール管理システムＳＭ１を示すブロック図である。
【図２】スケジュール管理システムＳＭ１において、メール情報とスケジュール情報とを関連付ける処理の概要を示す図である。
【図３】スケジュール管理システムＳＭ１において、メール情報とスケジュール情報とを関連付ける動作を示すフローチャートである。
【図４】スケジュール管理システムＳＭ１において、ユーザ端末Ｔ１の表示部２１に表示されているホームページの例を示す図である。
【図５】スケジュール管理システムＳＭ１のユーザ端末Ｔ１の表示部２１に表示されているホームページの例を示す図であり、メーラ（メール領域）の中から電子メールを選択し、スケジューラ（カレンダ領域）に表示されている年月日のうちで、３月９日に関連付けた例を示す図である。
【図６】スケジュール管理システムＳＭ１のユーザ端末Ｔ１の表示部２１に表示されているホームページの例を示す図であり、スケジューラ（カレンダ領域）に表示されている年月日のうちで、電子メールが関連付けられている３月９日を選択した例を示す図である。
【図７】本発明の実施例２であるスケジュール管理システムＳＭ２を示す図である。
【図８】スケジュール管理システムＳＭ２において、メール情報とスケジュール情報とを関連付ける処理の概要を示す図である。
【図９】スケジュール管理システムＳＭ２において、メール情報とスケジュール情報とを関連付ける動作を示すフローチャートである。
【符号の説明】
【００８３】
ＳＭ１、ＳＭ２…スケジュール管理システム、
ＷＳ１、ＷＳ２…ウェブサーバ、
１１…表示情報保存手段、
１２…メール送受信部、
１３…スケジュール作成部、
１４…入力部、
１５…端末識別情報認証部、
１６…表示情報制御部、
１７…出力部、
１８…日付情報検索部、
Ｔ１…ユーザ端末、
２１…表示部、
２２…メール関連付手段（マウス、キーボード等）。
【図１】
2005322178.tif 000003
【図２】
2005322178.tif 000004
【図３】
2005322178.tif 000005
【図４】
2005322178.tif 000006
【図５】
2005322178.tif 000007
【図６】
2005322178.tif 000008
【図７】
2005322178.tif 000009
【図８】
2005322178.tif 000010
【図９】
2005322178.tif 000011